(57)【要約】      （修正有）【課題】水や埃溜りとなる原因のクリーンルームに通じる隙間がなく、傾斜カバーを設けても化粧カバーだけを安全に開放および保持できるカバーユニットを提供する。【解決手段】天井カバー１３に略C型空間１３ｂを形成し、空間１３ｂに連通する開口１３ｃに相対する面の略中央に略水平かつＣ型空間１３ｂ内方に突出する当接部１３ｇを設け、開口１３ｃの上端に傾斜カバー１５を係止する係止部１３ｆを設ける。化粧カバー１４は、上方に、係止部１３ｄに係合可能な溝部１４ａを有するとともに、上端に、開口１３ｃを塞ぐ延出部１４ｂを設ける。延出部１４ｂで空間１３ｂ内に水や埃が進入することを防ぎ、化粧カバー１４の開放の際に延出部１４ｂが空間１３ｂ内の当接部１３ｇに当接して化粧カバー１４の係止を補完する構成とした。【選択図】図４
2014136864.tif 000002
【特許請求の範囲】
【請求項１】
上方に傾斜面を有する化粧カバーの取付け構造であって、壁に固定される下地材と、該下地材に固定するレール材と、下地材に係合する天井カバーと天井カバーに係止する化粧カバーからなり、
天井カバーには略C型空間を有し、この空間に連通する開口に相対する面の略中央に略水平かつＣ型空間内方に突出する突出部を有し、開口の上端には、傾斜カバーを係止保持する係止部を有しており、
化粧カバーは上端に上記開口の下縁部に係合可能な溝部を有し、該溝部の上方は略C型空間の開口を塞ぐように延出して、化粧カバーを開放する際には延出部が上記空間内の突出部の下方に挿入されて突出部と上記開口の下縁部に当接して上記天板に支えられる化粧カバーを備えることを特徴とする上吊引戸用カバーユニット。
【請求項２】
請求項１記載の扉装置において、
化粧カバーの溝部の下方には、化粧カバーを開放して水平に回動させて天井カバーの略C型空間内方へ押入れて突出部の下方へ化粧カバーの延出部を入れた際に開口の下縁部の当接面より開口内方に天井板の下縁部に係止する突出部を設けたことを特徴とする上吊引戸用カバーユニット。
【請求項３】
請求項１および請求項２記載の扉開閉制御装置において、
下地材には天井カバーと着脱自在に係合する溝部を複数設けたことを特徴とする上吊引戸用カバーユニット。
【発明の詳細な説明】
【技術分野】
【０００１】
本発明は、クリーンルームや食品工場における上吊引戸用カバーユニットに関するものである。
【背景技術】
【０００２】
従来、食品工場等では、食品衛生に関する基準（ＨＡＣＣＰ等）に従って、化粧カバーの天板を傾斜とした構成として埃や水が溜り難い形状としている。
【０００３】
上記のように構成されるカバーは従来板材を折り曲げて上方に傾斜面を有し前面側を垂下してカバーユニット内部品などを覆い、上端で係止またはネジで壁に固定するものがある。
【０００４】
またメンテナンス等をおこなう場合、化粧カバーを床へ下ろさずに開放保持ができるよう、新たな係止部を設け、閉鎖状態とする係止部から一旦外して前記開放保持のための係止部に係止させて化粧カバーを開放状態に保持するものがある（特許文献１：特開２００５−２６４４３０号公報参照）。
【０００５】
さらに傾斜部を有していないが、化粧カバーの係止部を軸として略水平に回動させた後、天板に形成した空間内に押込み、化粧カバー上端を空間内天井と、空間に隣接する開口縁部に当接させて化粧カバーを容易に開放状態にして保持するものもある（特許文献２：特開２００５−２２６３５５号公報参照）。 
【先行技術文献】
【特許文献】
【０００６】
【特許文献１】特開２００５−２６４４３０号公報
【特許文献２】特開２００５−２２６３５５号公報
【発明の概要】
【発明が解決しようとする課題】
【０００７】
しかし、従来の構成では、次のような問題があった。
レール装置のメンテナンス等を行う場合には、化粧カバーを開放するために化粧カバーを外した後、一旦床に下ろして作業を行う必要があり、化粧カバーの上げ下ろし作業が手間であるとともに、化粧カバーを落下させて化粧カバーや床面を傷つけるおそれもあった。
【０００８】
特許文献1では、化粧カバーを閉鎖状態とする第１の係止部から一旦外して第２の係止部に係止し直して開放状態とするものであるが、従来の構成と同様に、一旦レール本体より完全に分離させる状態となるため、第２の係止部へ差し込む作業や移動時における落下などのおそれもある。
さらに、化粧カバーの傾斜部と垂直部が一体化されており、断面形状から大型となり取扱いにおいても容易ではない。
【０００９】
また、特許文献２については、化粧カバーを天板に設けた係止部を軸に回動させた後、空間内に押込むことで化粧カバーが自重で当接し開放状態に係止できるが、開放状態において、水平よりも下方へ傾斜しており、メンテナンス作業時の振動等によりズレ落ちるおそれがある。さらに、天井の空間に隣接する開口は化粧カバーの閉鎖時においても空間内に通じる隙間があるため、食品工場等において埃や、水がたまり入り込む可能性があり最適ではない。仮に傾斜部を設ける場合に隙間を覆うような構成とした場合には、カバーの開閉において干渉するため傾斜カバーも外す必要が生じることとなる。
【００１０】
本発明は、このような点に基づいてなされたもので、その目的とするところは、化粧カバーの開閉において、着脱を行うことなく、開放保持ができるとともに、開放状態における安定性を有し、傾斜カバーを設けても化粧カバーだけを開放することができ閉鎖時には埃や水が溜まらないカバーユニットの構造を提供することにある。
【課題を解決するための手段】
【００１１】
上記課題を解決するべく請求項１に記載された上吊引戸用カバーユニットは、上方に傾斜面を有する化粧カバーの取付け構造であって、壁に固定される下地材と、該下地材に固定するレール材と、下地材に係合する天井カバーと天井カバーに係止する化粧カバーからなり、
天井カバーには略C型空間を有し、この空間に連通する開口に相対する面の略中央に略水平かつＣ型空間内方に突出する突出部を有し、開口の上端には、傾斜カバーを係止保持する係止部を有しており、
化粧カバーは上端に上記開口の下縁部に係合可能な溝部を有し、該溝部の上方は略C型空間の開口を塞ぐように延出して、化粧カバーを開放する際には延出部が上記空間内の突出部の下方に挿入されて突出部と上記開口の下縁部に当接して上記天板に支えられる化粧カバーを備えることを特徴とするものである。
【００１２】
また、請求項１記載の上吊引戸用カバーユニットにおいて、化粧カバーの溝部の下方には、化粧カバーを開放して水平に回動させて天井カバーの略C型空間内方へ押入れて突出部の下方へ化粧カバーの延出部を入れた際に開口の下縁部の当接面より開口内方に天井板の下縁部に係止する突出部を設けたことを特徴とするものである。
【００１３】
さらに、請求項１および請求項2記載の上吊引戸用カバーユニットにおいて、下地材には天井カバーと着脱自在に係合する溝部を複数設けたことを特徴とするものである。
【発明の効果】
【００１４】
以上述べたように、請求項１記載の上吊引戸用カバーユニットによると、天井カバーには略C型空間を有し、この空間に連通する開口に相対する面の略中央に略水平かつＣ型空間内方に突出する突出部を有し、開口の上端には、傾斜カバーを係止保持する係止部を有しており、化粧カバーは上端に上記開口の下縁部に係合可能な溝部を有し、該溝部の上方は略C型空間の開口を塞ぐように延出して、開放の際には延出部が上記空間内の突出部の下方に挿入されて突出部と上記開口の下縁部に当接して上記天板に支えられる化粧カバーを備えるので、
化粧カバーを開閉する際に、係止部を軸にして回動するとともに略水平位置にて押込むだけで容易に開放保持できるので、化粧カバーを一旦カバーユニットより分離しないので落下させるおそれを軽減することができる。また、化粧カバーを取付けた（閉鎖）状態においても空間に連設して設けられた開口は化粧カバーの延出部で空間内側より塞がれるため、埃や水などの浸入を防ぐこともでき、上方に傾斜カバーを設けた場合にも、天井カバーの上端に傾斜カバーは上端に設けた係止部を覆うようにするので、水や埃は内部に入り込むことがない。
【００１５】
また、請求項2によると、化粧カバーに開放状態において開口の下縁部に当接する場所より開口内方に下縁部に係止する突出部を設けたので、開放時において振動などによりズレ落ちる方向へ移動することが無く、作業時における安全性も向上することができる。
【００１６】
さらに請求項３によると、下地材は天井カバーと別体にし、相互に係合可能な溝部を複数設けたので、レール内の容積を可変することができ様々な大きさの機構を内臓にすることができる。
【図面の簡単な説明】
【００１７】
【図１】本発明のカバーユニットを取付けた引戸の正面図である。
【図２】本発明の一実施の形態を示す図で、図１の２−２線断面図である。
【図３】本発明の一実施の形態を示す図で、側板取付けの分解斜視図である。
【図４】本発明の一実施の形態を示す図で、天井カバーと化粧カバーおよび傾斜カバーとの取付け状態を示す拡大断面図ある。
【発明を実施するための形態】
【００１８】
以下、図１乃至図４を参照して、本発明の一実施の形態について説明する。
【００１９】
図１より、この発明に係る引戸装置は４０mm乃至５０mmの断熱パネル等からなる壁6に形成された開口４の上方に水平に配設されたカバーユニット１と、カバーユニット１から吊金具３により吊り下げられる扉２が開口４を閉鎖する構成としている。
【００２０】
上記扉の上端の左右には高さ調整が可能な吊金具3が取付けられており、扉下端には床面7に接触するパッキン5が垂下されて取付けられている。
【００２１】
更に、上記開口の縦と上方横の周囲には開口枠8が取付けられるとともに、開口枠8にはホルダー9が設けられており、前記ホルダー9にはパッキン10が差込まれて設けられている（図2参照）。
【００２２】
カバーユニット１は図２に示すように、壁6の開口4上方にリベットで固定された下地材１１と、該下地材１１に差込み固定されるレール１２材と、下地材１１の上方に設けられた溝１１ａに差し込まれる天上カバー１３と、天井カバー１３に構成される空間内に係合される化粧カバー１４から構成される。
【００２３】
また、食品衛生等の規格により傾斜面を構成させる場合には、前記天井カバー１３の上端に係止する傾斜カバー１５が設けられ、傾斜カバー１５の上端かつ壁６側には傾斜カバー１５の上端を差込み可能な上部枠１６が設けられている。
【００２４】
さらに、カバーユニット１の長手方向両端には側板１７（図３参照）が設けられており、側板１７には、カバーユニット１内方へ延出するフランジ１８を形成するとともに、下地材１１にネジ固定されている。また、前記フランジ１８には化粧カバー１４を固定するネジ穴１８ａが設けられ、化粧カバー１４を閉じた状態において開放方向へ移動しないように連結される。
【００２５】
上記下地材１１は逆Ｌ字状をなし、上面に第1の溝部１１ｂと、第２の溝部１１ｃを設けるとともに、側板１７を固定するビスホール１１ｄを上方と下方に形成している。また、縦方向の上段、中断、下段に凹部１１ｅを設けており、壁６に対してネジまたはリベットで固定する位置としてネジまたはリベットの頭部が凹部１１ｅ内に収まる深さを有している。さらに、壁６側の上方には、下方に向いた溝１１ａが設けられており、中断には上方に向いたリブ１１ｆが設けられている
【００２６】
上記レール材１２は、滑車３の滑動するレール部１２ａと、レール内に配設する自閉装置や、エアーダンパー１９（図１参照）のような緩衝器などを差込みするための溝１２ｂが設けられている。また上記下地材１１の中断の設けたリブ１１ｆに係合するような突出部１２ｃが設けられている。
【００２７】
これにより、レール材１２の上端を下地材１１の上方に設けた溝１１ａに斜め下方より差込むとともに上方へ押込みながら下地材１１に押付けた後に下げると係止することができる。この状態でレール材１２を下地材１１にネジ固定する。
【００２８】
また、図２および図４に示すように、上記天井カバー１３は、壁６側の端部に係止部１３ａを設けているとともに反壁面側に略Ｃ型の空間１３ｂを形成し、該空間１３ｂに連通する開口１３ｃが形成されている。開口１３ｃの下には開口内方へ突出する係止部１３ｄが設けられているとともに、上には下方に突出するリブ１３ｅが設けられている。また、リブ１３ｅに対して逆に上方へ突出する係止部１３ｆが設けられている。さらに、該空間１３ｂ内の壁６側の略中央に空間１３ｂ内へ延出する当接部１３ｇが設けられている。
【００２９】
また、図２および図４の（Ａ）に示すように、上記化粧カバー１４は、上方に上記天井カバー１３の係止部１３ｄに係止可能な凹部１４ａが形成されるとともに上記天井カバー１３の開口１３ｃを塞ぐような延出部１４ｂを設けている。該延出部１４ｂは上記天井カバー１３のリブ１３ｅに対して空間１３ｃ内方より重なるような長さを有している。  
また、凹部１４ａの下方には、図４の（Ｂ）に示すように化粧カバー１４を開放状態にする際に上記天井カバー１３の係止部１３ｄに係る突出部１４ｃがあり、図２の（Ｂ）に示すように開放状態において延出部１４ｂが当接部１３ｇから外れにくくなるように係止している。
【００３０】
上記傾斜カバー１５は、上記天井カバー１３の係止部１３ｆに係止するような凹部１５ａが設けられ、上記係止部１３ｆを覆うように下方へ向かって突起１５ｂが形成されている。また、下端には天井カバー１３に載荷するように水平に延びるリブ１５ｃが設けられている（図２および図４参照）。
【００３１】
上記上部枠１６は、前記傾斜カバー１５の上端が入る凹部１６ａが形成されており、カバーユニット１の長手方向に生じる壁６の凹凸に対して発生する隙間を吸収して化粧するとともに傾斜カバー１５と天井カバー１３および壁６からなる空間内への水の侵入を防ぐことができる。
【００３２】
上記のように構成されるカバーユニット１は、下地材１１に設けられた第１の溝部１１ｂ、第２の溝部１１ｃにより、天井カバー１３の係合位置を変えることで、レール材１２と化粧カバー１４で形成される空間を可変することができる。従って、カバーユニット１内部には自動ドアのモータ装置や、自閉させるための駆動装置など大きさの異なる装置を収納することが可能となる。  
【００３３】
また、傾斜カバー１５を取付けた場合であっても、化粧カバー１４は傾斜カバー１５に干渉することなく開閉および開放保持ができるとともに、取付けた状態であっても化粧カバー１４の延出部１４ｂで天井カバー１３の空間１３ｂ内に水や埃が浸入することはない。  
【００３４】
さらに、化粧カバー１４を開放状態でメンテナンス作業を行う場合であって、化粧カバー１４の延出部１４ｂと天井カバー１３の当接部１３ｇが当接している状態では、化粧カバー１４の突出部１４ｃと天井カバー１３の係止部１３ｄが係止して補完されるので、開放状態の保持を向上することができる。  
【産業上の利用可能性】
【００３５】
本発明は、例えば、食品衛生に関する基準（ＨＡＣＣＰ等）に従って、化粧カバーの天板を傾斜面に構成して埃や水が溜り難い形状のカバーを設ける壁面に取付けられる引戸装置に係り、特に、メンテナンス等の作業時においてもカバーを一旦外して下方へ下ろすことなく、かつ安全に開閉ができるとともに保持を確実にできるように工夫したものに係り、例えば室内に結露が生じやすい冷蔵庫に設けられる引戸装置に好適である。
【符号の説明】
【００３６】
１  カバーユニット
１１ 下地材１１
１１ｂ  第１の溝部
１１ｃ 第２の溝部
１３  天井カバー
１３ｂ 空間
１３ｃ 開口
１３ｄ 係止部
１３ｇ 当接部
１４  化粧カバー
１４ａ 凹部
１４ｂ 延出部
１４ｃ 突出部
１５  傾斜カバー
【図１】
2014136864.tif 000003
【図２】
2014136864.tif 000004
【図３】
2014136864.tif 000005
【図４】
2014136864.tif 000006